(57)【要約】【課題】剥離時にリズミカルな音を連続的に生じる重ね合わせ葉書のような剥離性重ね合わせシートを提供する。【解決手段】上紙片３と下紙片４とを折り用ミシン目２で折り重ねてなる重ね合わせ葉書１の重ね合わせ面を、剥離可能な感圧性接着剤５で接着するとともに、この重ね合わせ面に感圧性接着剤５の接着力の強弱を調整して剥離容易性が異なる強接着領域５ａと弱接着領域５ｂを配置し、これら領域５ａ，５ｂの剥離時に剥離容易性及に応じて異なった音を発するよう構成したものである。【選択図】        図２
2004181914.tif 000002
【特許請求の範囲】
【請求項１】
重ね合わせ面を剥離可能に接着するとともに、この重ね合わせ面に剥離容易性が異なる複数の領域を配置し、これら領域の剥離時に剥離容易性に応じて異なった音を発するよう構成したことを特徴とする剥離時に音を発する剥離性重ね合わせシート。
【請求項２】
重ね合わせ面を剥離可能な接着剤で接着するとともに、この重ね合わせ面に前記接着剤の接着力を調整して剥離容易性が異なる複数の領域を配置し、これら領域の剥離時に剥離容易性に応じて異なった音を発するよう構成したことを特徴とする剥離時に音を発する剥離性重ね合わせシート。
【発明の詳細な説明】
【０００１】
【発明の属する技術分野】
本発明は、重ね合わせ面を剥離可能に接着してなる剥離性重ね合わせシート、例えば、剥離可能な重ね合わせ葉書、剥離可能な重ね合わせカード、剥離可能な封緘片を有する封筒などに関し、特に、剥離時にリズミカルな音を発する剥離性重ね合わせシートに関する。
【０００２】
【従来の技術】
従来から、重ね合わせ面を剥離可能に接着してなる剥離性重ね合わせシートにおいて、剥離時に音が発生することは知られており、特にポリエステル系フィルムなど合成樹脂フィルムを用いたシートにおいては、剥離時のジッピングにより大きな剥離音が発生するものである。また、伝達情報としての様々な音声を発するシートも知られているが、これらのシートは、音声をコード化して印刷または印字した音声コード印刷部を設けたり（例えば、特許文献１参照）、音声発生手段から発生される言語音声によるメッセージを特定する機械読み取り可能なコードマークを表示した（例えば、特許文献２参照）もので、コード読み取り装置、音声発声装置などの複数の機械的、電気的手段を用いて音声を発生するものである。
【０００３】
【特許文献１】
特開平１１−９９７８３号公報（第２−３頁、図１）
【特許文献２】
特開２００１−１２７６５８号公報（第３−４頁、図１）
【０００４】
【発明が解決しようとする課題】
従来の剥離性重ね合わせシートにおける剥離音は、雑音として不快感を与えるだけなので、剥離性重ね合わせシートを、重ね合わせ面に通知情報を表示したダイレクトメールに適用した場合に、受領者が重ね合わせ面を剥離することに興味を示さないことが多く、重ね合わせ面を剥離しないことによって通知情報の伝達がなされず、ダイレクトメールとしての目的を達成できないという不都合があった。また、機械的、電気的手段を用いて音声を発生するシートにおいては、シート自体では音を発することができないので、コード読み取り装置、音声発声装置などの音声の発生に必要な機械的、電気的手段を有していない一般家庭では、音を聞くことができないという不都合があった。本発明は、このような不都合を解消した、剥離時に単なる雑音ではなく、リズミカルな音を発生する剥離性重ね合わせシートを提供することを目的とする。
【０００５】
【課題を解決するための手段】
この目的を達成するために、本願発明の請求項１に係る剥離性重ね合わせシートは、重ね合わせ面を剥離可能に接着するとともに、この重ね合わせ面に剥離容易性が異なる複数の領域を配置し、これら領域の剥離時に剥離容易性に応じて異なった音を発するよう構成したものである。すなわち、剥離容易性に応じて剥離時に生じる音の大小が異なるので、重ね合わせ面に配置した剥離容易性が異なる複数の領域を順次剥離していくことにより、リズミカルな音の連続を生じるのである。
【０００６】
同じく上述の目的を達成するために、本願発明の請求項２に係る剥離性重ね合わせシートは、重ね合わせ面を剥離可能な接着剤で接着するとともに、この重ね合わせ面に前記接着剤の接着力の強弱を調整して剥離容易性が異なる複数の領域を配置し、これら領域の剥離時に剥離容易性に応じて異なった音を発するよう構成したものである。この請求項２に係る発明においては、剥離可能な接着剤で重ね合わせ面を接着するので、この接着剤の接着条件の強化やこの強化部分の面積の大小により接着力を調整した塗布パターンによって、音の大小だけでなく長短も異なる所望の音を発生することができる。
【０００７】
【発明の実施の形態】
以下、本発明を剥離可能な重ね合わせ葉書に適用した場合の好適な実施の形態を添付図面に基づいて詳細に説明する。ここにおいて、図１は重ね合わせ葉書の斜視図、図２は図１のＡ−Ａ線断面図、図３は剥離容易性が異なる複数の領域の配置状態を示す説明図である。
【０００８】
図１及び図２に示すように、重ね合わせ葉書１は、折り用ミシン目２を境に連接してなる上紙片３と下紙片４とを、前記折り用ミシン目２で折り重ね、重ね合わせ面を、通常では接着せず所定の圧を加えると接着可能となり、接着後に剥離可能で、印字、印刷が可能な感圧性接着剤５で接着してなる。図示してはいないが、前記重ね合わせ面には、他人には知られたくない秘匿すべき情報や一般的な秘匿する必要のない案内情報などの通知情報が印字あるいは印刷されている。
【０００９】
上述の感圧性接着剤５としては、印字、印刷が可能で、一旦接着すると剥離困難な非剥離性接着剤基剤に、この接着剤基剤に対して非親和性を示す微粒状充てん剤を配合したものが好適である。前記非剥離性接着剤基剤としては、公知の感圧性接着剤を用いればよいが、特に挙げると、天然ゴムにスチレンとメタクリル酸メチルとをグラフト共重合させて得られた天然ゴムラテックスが、耐ブロッキング性、耐熱性、耐摩耗性等の点で好適である。
【００１０】
一方、上記微粒状充てん剤としては、上記接着剤基剤との親和性が小さいもの、例えば、酸化亜鉛、酸化チタン、炭酸カルシュウム、カオリン、活性白土、球状アルミナ、小麦デンプン、シリカ、ガラス粉末、シラスバルーン等がある。これらの材料は、単独でも、複数組み合わせてもよいが、特に、シリカと他の適宜な充てん剤との組み合わせが好適である。
【００１１】
そして、図示していない加圧ローラで感圧性接着剤５に接着条件を付与する際に、まず上下一対の第１加圧ローラで、重ね合わせ葉書１の上下から加圧して重ね合わせ面を全面的に極めて剥離容易に接着し、続いて同じく上下一対で一方のローラに複数の大きさの異なる凸部を形成してなる第２加圧ローラで、重ね合わせ葉書１の上下から加圧して重ね合わせ面の前記凸部に対応する部分の接着力を高めることにより剥離容易性を低下させて、剥離可能ではあるが剥離容易性は低く、剥離時に抵抗感のある強接着領域５ａと、剥離容易性が高く、剥離時にほとんど抵抗感のない弱接着領域５ｂとを設ける。図３で明らかなように、前記各強接着領域５ａは、図示していない前記第２加圧ローラの各凸部にならった大きさの異なる円形である。そして、前記各強接着領域５ａ以外の部分が弱接着領域５ｂとなる。
【００１２】
また、図１に示すように、上紙片３の表出面には、宛名情報６を印字するとともに、上紙片３の左下隅部に設けた三角形状の切り欠き部７に向けた矢印と「ここからはがして下さい楽しい音がきこえます」との文からなる剥離開始端指示表示８を印刷している。
【００１３】
本実施形態は上述のように構成したので、図１状態にある重ね合わせ葉書１の切り欠き部７に指を掛けて、上紙片３と下紙片４とを相対的に離反し、重ね合わせ面を剥離すると、弱接着領域５ｂと強接着領域５ａとの剥離容易性の相違、換言すると接着力の相違により、剥離時の剥離音は弱接着領域５ｂよりも強接着領域５ａの方が大きく、強接着領域５ａ同士においては面積の大きな強接着領域５ａの方がより大きな剥離音をより長く発することになる。したがって、剥離動作にしたがい、弱接着領域５ｂと強接着領域５ａとの配置パターンに応じた、リズミカルな音を連続的に発生するものである。
【００１４】
なお、本発明は、上述の実施形態に限定されるものではなく、例えば、重ね合わせ面の剥離可能な接着は、感圧性接着剤５によらず、感熱性接着剤など他の接着条件で接着可能となる接着剤を用いたり、あるいは接着剤を用いることなく、樹脂フィルム同士の密圧着によってもよいもので、この密圧着の場合にも圧着力（加圧力）の調整によって、剥離容易性の異なる領域を形成できる。また、剥離容易性の異なる領域は、強接着領域５ａと弱接着領域５ｂの２種類に限らず、各領域５ａ，５ｂの剥離容易性をさらに細分化してもよいものである。さらに、本発明を重ね合わせ葉書１以外の重ね合わせシートにも適用可能なことはいうまでもない。
【００１５】
【発明の効果】
以上のように、本発明の請求項１に係る剥離時に音を生じる剥離性重ね合わせシートによれば、剥離容易性の異なる領域を重ね合わせ面に配置することにより、剥離動作にしたがってリズミカルな剥離音を連続的に発生することができるので、興味をもって重ね合わせ面の剥離が行われることになり、重ね合わせ面に表示した通知情報を確実に伝達可能であるという効果を奏する。
【００１６】
また、本発明の請求項２に係る剥離時に音を生じる剥離性重ね合わせシートによれば、上述した効果に加えて、剥離可能な接着剤の接着力を調整することによって、剥離容易性の異なる領域を容易かつ確実に設けることができるという効果を奏する。
【図面の簡単な説明】
【図１】重ね合わせ葉書の斜視図。
【図２】図１のＡ−Ａ線断面図。
【図３】剥離容易性が異なる複数の領域の配置状態を示す説明図。
【符号の説明】
１      重ね合わせ葉書
２      折り用ミシン目
３      上紙片
４      下紙片
５      感圧性接着剤
５ａ      強接着領域
５ｂ      弱接着領域
６      宛名情報
７      切り欠き部
８      剥離開始端指示表示
【図１】
2004181914.tif 000003
【図２】
2004181914.tif 000004
【図３】
2004181914.tif 000005